(57)【要約】【課題】そこで本発明は、デジタルカメラに特別な加工をすることなく取り付けられ、かつ被写体側表面を被写体に接触させることにより、安定した拡大写真画像をデジタルカメラで撮像できる接写用ルーペを提供する。【解決手段】接写レンズを保持するレンズホルダを収納する筐体を偏平な形状とし、被写体側表面及びカメラ側表面の大部分が、接写レンズの光軸とほぼ垂直になるようにし、被写体側表面に被写体に接触するためのほぼ平坦な部分を形成し、カメラ側表面に両面接着材を接着するためのほぼ平坦な固定部を形成する。また、接写レンズの位置を微調整するための機構を設ける。また、デジタルカメラへの取り付けには両面接着材を用いる。【選択図】  図１
2004286776.tif 000002
【特許請求の範囲】
【請求項１】
デジタルカメラに取り付けて用いる接写用ルーペであって；
前記デジタルカメラを接写可能とする接写レンズと；
前記接写レンズを保持するレンズホルダと；
前記レンズホルダを保持する筐体とを備え；
前記筐体は、前記デジタルカメラに面するカメラ側表面と前記カメラ側表面にほぼ平行な被写体側表面とを有する偏平な形状に形成され、
前記カメラ側表面と前記被写体側表面の大部分が、前記接写レンズの光軸とほぼ垂直であり、
前記被写体側表面及び前記カメラ側表面には、前記接写レンズを挟んでそれぞれ前記光軸をほぼ中心とするほぼ円形の窓が形成され、
前記被写体側表面は前記窓の周りに、被写体に接触させるためのほぼ平坦な接触部を有し、
前記カメラ側表面は、前記デジタルカメラに接着して取付ける両面接着材を接着するための、ほぼ平坦な固定部を有することを特徴とする；
接写用ルーペ。
【請求項２】
前記両面接着材が表面を湿らすことにより接着可能になり、乾燥することにより剥離可能になるジェルであることを特徴とする、請求項１に記載の接写用ルーペ。
【請求項３】
前記接写レンズの光軸と前記デジタルカメラの撮像レンズの光軸とを合致させるように前記両面接着材を前記固定部と前記デジタルカメラに接着させ、前記被写体側表面を前記被写体に接触させた時、前記被写体の写真画像が前記デジタルカメラの撮像面の近傍に結像されることを特徴とする、請求項１又は請求項２に記載の接写用ルーペ。
【請求項４】
前記被写体の写真画像が前記撮像面上に結像されるように、前記接写レンズを前記レンズホルダと共に前記光軸方向に移動可能とする微調整機構を備える、請求項３に記載の接写用ルーペ。
【請求項５】
前記筐体に保持されて前記被写体を照明する照明用ライトを備え、前記筐体は、前記照明用ライトを点灯する電池を収納する電池収納室を有し、前記電池収納室は前記電池を出し入れするための扉を有する、請求項１乃至請求項４のいずれか１項に記載の接写用ルーペ。
【請求項６】
前記固定部は、前記接写レンズの光軸からレンズ径以上離れた位置で、前記カメラ側表面の最もデジタルカメラに近い部分より、前記両面接着材の厚さを超えない程度離れた位置にあり、かつ前記カメラ側表面の１／３以上を占める、請求項１乃至請求項５のいずれか１項に記載の接写用ルーペ。
【請求項７】
接写するためにデジタルカメラに取付けて用いる接写用ルーペであって；
前記デジタルカメラを接写可能とする接写レンズと；
前記接写レンズを保持するレンズホルダと；
前記接写レンズを前記レンズホルダと共に前記接写レンズの光軸方向に移動可能とする微調整機構と；
前記レンズホルダを保持し、前記微調整機構を収納する筐体とを備え；
前記微調整機構は、前記接写レンズの光軸と前記デジタルカメラの撮像レンズの光軸を合致させるように前記筐体を前記デジタルカメラに取り付け、前記筐体の被写体側表面を被写体に接触させた時、前記被写体の写真画像が前記デジタルカメラの撮像面上に結像されるように、調整可能である；
接写用ルーペ。
【請求項８】
請求項１乃至請求項７のいずれか１項に記載の接写用ルーペと；
前記接写用ルーペを取り付けるデジタルカメラとを備える；
接写用デジタルカメラ。
【請求項９】
請求項８に記載のデジタルカメラと；
前記デジタルカメラで撮像した写真画像を送信する送信手段を備える；
携帯電話装置。
【請求項１０】
複数種類の肌表面の写真画像とこれらの写真画像についての医療専門家、健康管理専門家又は美容専門家の診断結果データを蓄積した肌表面データベースと；
請求項９に記載の携帯電話装置から前記送信された写真画像を受信する受信手段と；
前記受信した写真画像に最も近い肌表面の写真画像を前記肌表面データベースから抽出する写真画像抽出部と；
前記抽出された写真画像についての前記診断結果データを前記肌表面データベースから抽出する診断結果抽出部と；
前記抽出された診断結果データを、該デジタルカメラ側に返信する送信手段を備える；
肌診断用サーバ。
【発明の詳細な説明】
【０００１】
【発明の属する技術分野】
本発明は接写用ルーペ、接写用デジタルカメラ、携帯電話装置及び肌診断用サーバに関し、特に肌表面を撮影するのに適した接写用ルーペ、接写用デジタルカメラ、携帯電話装置及び肌診断用サーバに関する。
【０００２】
【従来の技術】
近年、撮影レンズ及びＣＣＤ等の撮像素子を備えたデジタルカメラが開発され、写真画像をデジタルデータとして記録し、記録した写真画像を取出してパーソナルコンピュータや携帯電話装置で送信できるようになった。また、デジタルカメラ付き携帯電話装置が開発され、写真画像をそのまま送信できるようになった。
【０００３】
従来から、デジタルカメラの撮影レンズと協働して接写画像をデジタルカメラの撮像面上に結像させるための接写用レンズを、デジタルカメラ付き携帯電話装置に取り付け、これを用いて患者の眼の角膜の形状等を接写し、その情報を送信できるようにしたデジタルカメラ付き携帯電話装置があった。この携帯電話装置では、接写用レンズのカメラへの取り付けは、それぞれ接写用レンズ及び撮影レンズの外周に形成された雄ネジ、雌ネジによって螺合されていた（例えば特許文献１）。
【０００４】
【特許文献１】実用新案登録第３０８５４７６号公報（出願２００１年１０月１９日、段落００１１〜００１５、図１〜図３）
【特許文献２】実用新案登録第３０１２９４４号公報
【特許文献３】実用新案登録第３０１２９４２号公報
【０００５】
【発明が解決しようとする課題】
しかしながら、以上のような従来の技術では、撮影のたびに焦点合わせのために被写体との距離を調節しなければならず、被写体の画像を安定させることが困難であった。また、デジタルカメラ側にネジを付ける等の加工が必要で、通常のデジタルカメラにも適用できるものではなかった。
【０００６】
そこで本発明は、デジタルカメラに特別な加工をすることなく取り付けられ、かつ被写体側表面を被写体に接触させることにより、安定した拡大写真画像をデジタルカメラで撮像できる接写用ルーペ、そのような接写ルーペを備えた接写用デジタルカメラ、携帯電話装置及び肌診断用サーバを提供することを目的とする。
【０００７】
【課題を解決するための手段】
上記課題を解決するために、本発明による接写用ルーペは、デジタルカメラ（２０）に取り付けて用いる接写用ルーペ（１）であって；前記デジタルカメラ（２０）を接写可能とする接写レンズ（２）と；前記接写レンズ（２）を保持するレンズホルダ（３）と；前記レンズホルダ（３）を保持する筐体（８）とを備え；前記筐体（８）は、前記デジタルカメラ（２０）に面するカメラ側表面（１０）と前記カメラ側表面（１０）にほぼ平行な被写体側表面（９）とを有する偏平な形状に形成され、前記カメラ側表面（１０）と前記被写体側表面（９）の大部分が、前記接写レンズ（２）の光軸（１１）とほぼ垂直であり、前記被写体側表面（９）及び前記カメラ側表面（１０）には、前記接写レンズ（２）を挟んでそれぞれ前記光軸（１１）をほぼ中心とするほぼ円形の窓（１２、１３）が形成され、前記被写体側表面（９）は前記窓（１２）の周りに、被写体（５）に接触させるためのほぼ平坦な接触部（１８）を有し、前記カメラ側表面（１０）は、前記デジタルカメラ（２０）に接着して取付ける両面接着材（２１）を接着するための、ほぼ平坦な固定部（１９）を有することを特徴とする。
【０００８】
本発明によれば、デジタルカメラに特別な加工をすることなく取り付けられ、かつ被写体側表面を被写体に接触させることにより、安定した拡大写真画像をデジタルカメラで撮像できる接写用ルーペを提供できる。すなわち、両面接着材を用いて接写用ルーペをデジタルカメラに取り付けるためのほぼ平坦な固定部を有するので、両面接着材を用いて取り付けができ、デジタルカメラに適当な広さのほぼ平坦な面があれば接写用ルーペを安定に取り付けられる。また、該被写体側表面は被写体に接触するためのほぼ平坦な接触部を有するので、被写体との接触が安定し、かつ、接写レンズを被写体から一定の距離に保持できるので、撮影の都度焦点合わせをする必要がなく、常に安定した品質の写真画像を提供できる。
【０００９】
ここで、デジタルカメラは携帯電話装置に組み込まれたものでも良い。この場合、携帯電話網に接続されたサーバに直接写真画像を送信できる。また、固定部に両面接着材が接着されている態様も本請求項に含まれる。
【００１０】
また、請求項２に記載の接写用ルーペは、請求項１に記載の接写用ルーペにおいて、前記両面接着材（２１）が表面を湿らすことにより接着可能になり、乾燥することにより剥離可能になるジェルであることを特徴とする。これにより、接写用ルーペをデジタルカメラに安定に取り付けでき、また、着脱が容易になる。
【００１１】
また、請求項３に記載の接写用ルーペは、請求項１又は２に記載の接写用ルーペにおいて、前記接写レンズ（２）の光軸（１１）と前記デジタルカメラ（２０）の撮像レンズ（２２）の光軸とを合致させるように前記両面接着材（２１）を前記固定部（１９）と前記デジタルカメラ（２０）に接着させ、前記被写体側表面（９）を前記被写体（５）に接触させた時、前記被写体（５）の写真画像が前記デジタルカメラの撮像面（２３）の近傍に結像されることを特徴とする。これにより、被写体の写真画像をデジタルカメラの撮像面上に安定に結像させることができる。
【００１２】
また、請求項４に記載の接写用ルーペは、請求項３に記載の接写用ルーペにおいて、前記被写体（５）の写真画像が前記撮像面（２３）上に結像されるように、前記接写レンズ（２）を前記レンズホルダ（３）と共に前記光軸（１１）方向に移動可能とする微調整機構（４）を備えることを特徴とする。これにより、接写用レンズ２のデジタルカメラ２０への取り付けのばらつき、接写用ルーペ１の製造ばらつき、デジタルカメラ２０の型式の差異等による焦点の位置のばらつきを吸収して、精密な焦点合せが可能となる。
【００１３】
また、請求項５に記載の接写用ルーペは、請求項１乃至４のいずれか１項に記載の接写用ルーペにおいて、前記筐体（８）に保持されて前記被写体（５）を照明する照明用ライト（６）を備え、前記筐体（８）は、前記照明用ライト（６）を点灯する電池（７）を収納する電池収納室（２５）を有し、前記電池収納室（２５）は前記電池（７）を出し入れするための扉（２６）を有することを特徴とする。電池交換を可能にして、接写用ルーペの永続的な使用を可能とするものである。
【００１４】
また、請求項６に記載の接写用ルーペは、請求項１乃至５のいずれか１項に記載の接写用ルーペにおいて、前記固定部（１９）は、前記接写レンズ（２）の光軸（１１）からレンズ径以上離れた位置で、前記カメラ側表面（１０）の最もデジタルカメラ（２０）に近い部分より、前記両面接着材（２１）の厚さを超えない程度離れた位置にあり、かつ前記カメラ側表面（１０）の１／３以上を占めることを特徴とする。これにより、接着の安定性が強化される。
【００１５】
また、請求項７に記載の接写用ルーペは、接写するためにデジタルカメラ（２０）に取付けて用いる接写用ルーペ（１）であって；前記デジタルカメラ（２０）を接写可能とする接写レンズ（２）と；前記接写レンズ（２）を保持するレンズホルダ（３）と；前記接写レンズ（２）を前記レンズホルダ（３）と共に前記接写レンズ（２）の光軸（１１）方向に移動可能とする微調整機構（４）と；前記レンズホルダ（３）を保持し、前記微調整機構（４）を収納する筐体（８）とを備え；前記微調整機構（４）は、前記接写レンズ（２）の光軸（１１）と前記デジタルカメラ（２０）の撮像レンズ（２２）の光軸を合致させるように前記筐体（８）を前記デジタルカメラ（２０）に取り付け、前記筐体（８）の被写体側表面（９）を被写体（５）に接触させた時、前記被写体（５）の写真画像が前記デジタルカメラ（２０）の撮像面（２３）上に結像されるように、調整可能であることを特徴とする。
【００１６】
接写レンズの位置の微調整を行なう機構を有するので、接写用レンズのデジタルカメラ２０への取り付けのばらつき、接写用ルーペ１の製造ばらつき、デジタルカメラ２０の型式の差異等による焦点の位置のばらつきを吸収して、精密な焦点合せを可能とするものである。
【００１７】
また、本発明による接写用デジタルカメラは、請求項１乃至請求項７のいずれか１項に記載の接写用ルーペ（１）と；前記接写用ルーペ（１）を取り付けるデジタルカメラ（２０）とを備えることを特徴とする。これにより、デジタルカメラで直ぐに接写が可能となる。
【００１８】
また、本発明による携帯電話装置は、請求項８に記載のデジタルカメラ（２０）と；前記デジタルカメラ（２０）で撮像した写真画像を送信する送信手段を備えることを特徴とする。これにより、接写画像を直ぐにサーバに送信可能となり、サーバからの返信も早く受けることができる。
【００１９】
また、本発明による肌診断用サーバ（２７）は、複数種類の肌表面の写真画像とこれらの写真画像についての医療専門家、健康管理専門家又は美容専門家の診断結果データを蓄積した肌表面データベース（２８）と；請求項９に記載の携帯電話装置（２０）から前記送信された写真画像を受信する受信手段（３０）と；前記受信した写真画像に最も近い肌表面の写真画像を前記肌表面データベース（２９）から抽出する写真画像抽出部（３２）と；前記抽出された写真画像についての前記診断結果データを前記肌表面データベース（２９）から抽出する診断結果抽出部（３３）と；前記抽出された診断結果データを、該デジタルカメラ（２０）側に返信する送信手段（３１）を備えることを特徴とする。
【００２０】
本発明によれば、接写用ルーペをデジタルカメラに取付けて接写した肌表面の写真画像を受信し、分析し、有効な診断結果（アドバイスを含む）を返信できる肌診断用サーバを提供できる。また、本発明による接写用ルーペを使用するので、常に安定した写真画像を提供できる。また、撮影後直ぐに写真画像をサーバに送信でき、診断結果も早く得られる。なお、複数種類の肌表面の写真画像とあるが、多種類であることが望ましい。
【００２１】
【発明の実施の形態】
以下に、図面に基づき、本発明による実施の形態について説明する。図１に本発明による接写用ルーペの平面図を、図２にそのＡ−Ａ’断面図を、図３に上記接写用ルーペをデジタルカメラ付き携帯電話装置に取付けて使用する状態を模式的に表した断面図を示す。図１〜３において、１は接写用ルーペで、接写レンズ２、接写レンズ２を保持するレンズホルダ３、接写レンズ２をレンズホルダ３と共に光軸方向に移動可能とする微調整機構４、被写体５を照明する照明用ライト６、及び筐体８等で構成される。筐体８は、該レンズホルダ３、照明用ライト６を保持し、微調整機構４、照明用ライト６を駆動する電池７等を収納する。
【００２２】
筐体８は被写体側表面９及びカメラ側表面１０をほぼ平行な表面とする偏平な形状である。被写体側表面９及びカメラ側表面１０の大部分が接写レンズ２の光軸１１と垂直になるように、接写レンズ２が保持される。被写体側表面９及びカメラ側表面１０は接写レンズ２を挟んでそれぞれ光軸１１を中心とする円形の窓１２、１３を有する。接写レンズ２と被写体側表面９の窓１２との間に空間１４、接写レンズ２とカメラ側表面１０の窓１３との間に空間１５があり、空間１４、１５はそれぞれ接写レンズ２の光軸１１を中心とする軸対象の内壁１６、１７に囲まれており、内壁１６、１７は接写レンズ２を内包する鏡筒の内壁を形成している。被写体側表面９は窓１２の周りに、被写体５に接触させるための平坦な接触部１８を有する。本実施の形態では被写体側表面９の大部分が接触部１８に該当する。カメラ側表面１０は平坦な固定部１９を有する。固定部１９には、接写用ルーペ１をデジタルカメラ２０に接着固定するための両面接着材２１を接着できるようになっている。
【００２３】
２０はデジタルカメラ付き携帯電話装置で、撮像レンズ２２、撮像面２３等を有する。接写用ルーペ１を用いて写真撮影を行なう場合には、まず、接写用ルーペ１をデジタルカメラ付き携帯電話装置２０に取り付ける。すなわち、接写用ルーペ１の筐体８のカメラ側表面１０の、両面接着材２１を接着するためのほぼ平坦な固定部１９に両面接着材２１を接着する。次に、接写用ルーペ１の接写レンズ２とデジタルカメラ付き携帯電話装置２０の撮像レンズ２２とが対向するように、すなわち、接写レンズ２の光軸１１と撮像レンズ２２の光軸が一致するように、両面接着材２１を用いて接写用ルーペ１をデジタルカメラ付き携帯電話装置２０に接着固定する。デジタルカメラ付き携帯電話装置２０には適当な広さのほぼ平坦な面があれば両面接着材２１を接着できる。そして、接写用ルーペ１の被写体側表面９の接触部１８を被写体５に接触させて写真撮影する。被写体５の表面に撮像レンズ２２のピントが合うように、すなわち、デジタルカメラ付き携帯電話装置２０内の撮像面２３に被写体５の写真画像が結像するように、被写体側表面９からの接写レンズ２の距離が定められる。接写レンズ２と被写体５との位置関係は、撮像面２３に被写体５の写真画像が結像するように設計されているので、接触部１８を被写体５に接触させて写真撮影すると、常にピントの合った写真画像を得ることができる。
【００２４】
さらに、精密な焦点合せを行なうために微調整機構４を設け、接写レンズ２を保持するレンズホルダ３を光軸方向、すなわち、図２の上下方向に微調整できるようにしている。微調整機構４は、例えば、リング状のレンズホルダ３の外側に、連続して歯形が形成されたリング状の微調整ダイヤル２４を配置し、レンズホルダ４の外周と微調整ダイヤル２４の内周にそれぞれ螺旋状の雄ネジ、雌ネジを切り、微調整ダイヤル２４の筐体８から外にはみ出た歯形部分を手動で回転することにより、微調整ダイヤル２４の回転をレンズホルダ３の微少上下動に変換する構成とする。このように微調整機構４（レンズホルダ４及び微調整ダイヤル２４）を設けることにより、接写用レンズ２のデジタルカメラ２０への取り付けのばらつき、接写用ルーペ１の製造ばらつき、デジタルカメラ２０の型式の差異等による焦点の位置のばらつきを吸収して、精密な焦点合せが可能となる。
【００２５】
接触部１８を被写体５に接触させると、接写レンズ２と被写体５との間に空間１４ができる。空間１４は内壁１６に取り囲まれているため、このままでは暗くなる。図１、２の例では、被写体５の表面を照明するために、内壁１６の２箇所（光軸１１に対し対称な位置）に照明用ライト６が保持されている。また、内壁１６は白色で、照明用ライト６からの照射光が反射して、空間１４内が明るく保たれるようになっている。照明用ライト６へは電池７で電気を供給する。筐体８の側面に電気の供給をオン・オフする照明用スイッチ（図示しない）が取り付けられている。電池７は電池収納室２５に収納され、電池収納室２５の扉２６を開けることにより、交換可能になっている。扉２６には例えばプラスチックの弾性を用いたロック機構とヒンジが使用される。照明用ライトが光軸１１に対し対称な位置にあり、被写体５となす角度が比較的小さいので、表面の凹凸が鮮明な写真画像が得られる。被写体５となす角度は３乃至３０度が好ましく、５乃至１５度がより好ましい。
【００２６】
筐体８内部での接写レンズ２の位置は、接写レンズ２の焦点距離、筐体８の厚さ等により決定される。拡大画像を得るために、被写体５が接写レンズ２の焦点距離より多少レンズ寄りの位置にくるように設計されている。場合により、照明用ライト１２を保持する空間を確保する必要がある。図２の例では、接写レンズ２は被写体側表面９よりもカメラ側表面１０に近い位置に保持されている。
【００２７】
図１の例では、両面接着材２１を接着するための固定部１９の位置は、微調整機構４を接写レンズ２の周囲に設置する余裕を取って、接写レンズ２の光軸１１からレンズ径以上離れた位置に設けている。また、光軸１１方向については、両面接着材２１の厚さを考慮し、カメラ側表面１０の最もデジタルカメラ２０に近い部分、すなわち、微調整機構４をカバーする部分より、両面接着材２１の厚さを超えない程度離れた位置に設けている。また、デジタルカメラ２０への取り付けを安定させるための固定部１９の広さは、両面接着材２１の接写ルーペ１とデジタルカメラ２０への接着強度により定まり、使用する接着材料や、接写ルーペ１及びデジタルカメラ２０の筐体材料に応じて変わるが、カメラ側表面１０の１／３以上を占めることが好ましい。また、図１の例では、固定部１９の形状は、三日月を太くしたような形状になっている。
【００２８】
両面接着材２１としては例えばジェルが用いられる。ジェルは表面を水で湿らすことによって粘着力が強くなり、接着が可能となり、また、乾燥すると粘着力が弱まり、剥がすことが可能となる。水で湿らすことにより、何度でも接着可能である。両面接着材２１の厚さは２ｍｍ以下で、薄板状に成形されていることが好ましい。上からみた形状は、接写用ルーペ１の固定部１９の形状に対応して成形されていることが好ましく、本実施の形態では、上記の三日月を太くしたような形状になっている。
【００２９】
なお、固定部１９及び両面接着材２１の形状は筐体８内の微調整機構４や電池７の形状や配置等により、種々の形状を取りうる。このように、広い固定部１９と両面接着材２１を用いて接写用ルーペ１をデジタルカメラ２０に取付けるため、安定した取り付けができる。また、両面接着材２１を用いて取付ける方法は、螺旋状ネジや磁石を用いて取付ける方法に比して、デジタルカメラ２０に予めネジや磁石等を取り付ける等の加工の必要がなく、デジタルカメラ２０に適当な広さのほぼ平坦な面があれば容易に取付けできる。また、磁石を用いていないので、記録媒体に近づけても記録内容を損なうおそれもない。
【００３０】
また、例えば、接写レンズ２の焦点距離を約２０ｍｍ、レンズ径は約２０ｍｍで倍率３０倍の良好な写真画像が得られる。また、例えば、電池１３は３Ｖのリチウム電池２個を用い、照明用ライト１２は０．２ｗの豆電球を２個、接写用レンズ２を対角に挟むように空間１１を取り囲む内壁２７に取り付けるものとする。
【００３１】
なお、図１において、ａは筐体の外郭、ｂは筐体の内壁、ｃは電池収納室の内壁、ｄは電池の外郭、ｅは電極の外郭、ｆは固定部の輪郭、ｇはレンズホルダの内周、ｈは接写レンズの外周、ｋは微調整ダイヤルの外郭、ｍは照明用ライトの外郭、ｎは照明用ライトを収納する穴の内壁、ｐは筐体の段差、ｑは筐体に付けられた窪みを表す線である。
【００３２】
図４に本発明による接写用ルーペをデジタルカメラ付き携帯電話装置に取り付け、さらにデジタルカメラ付き携帯電話装置から写真画像を送信し、サーバで写真画像を分析し、その診断結果をデジタルカメラ付き携帯電話装置に返信するシステム構成例を示す。
【００３３】
図４において、２０はデジタルカメラ付き携帯電話装置で接写用ルーペ１が装着されている。２７はサーバ、２８はサーバ２７に備えられた診断用データベース、２９は携帯電話網である。本実施の形態では、被写体５が人間の肌であり、写真画像は肌表面の拡大写真であり、診断用データベース２８は種々の状態の肌表面の写真画像を蓄積し、さらに、これら肌表面の写真画像を基に医療専門家が分析した診断結果を各写真画像に対応づけて蓄積した肌表面データベースであり、サーバ２７は無線通信機能を有する肌診断用サーバであるとする。
【００３４】
接写用ルーペ１をデジタルカメラ付き携帯電話装置２０に取付けて、人間の肌５を写真撮影する。ＣＣＤ等の撮像素子の撮像面２３に結像された写真画像は、デジタルカメラ付き携帯電話装置２０内のメモリに保存され、デジタルカメラ付き携帯電話装置２０から肌診断用サーバ２７に携帯電話網２９を介して無線で送信される。
【００３５】
肌診断用サーバ２７は、人間の種々な肌表面の状態の写真画像とその診断結果（アドバイスを含む）を記録した肌表面データベース（肌表面ＤＢ）２８、携帯電話網２９から通信データを受信する受信手段３０、携帯電話網２９に通信データを送信する送信手段３１，送信された写真画像と最も似ている写真画像（複数でも良い）を肌表面データベース２８の写真画像の中から抽出する写真画像抽出部３２、抽出された写真画像についての診断結果データを肌表面データベース２８から抽出する診断結果抽出部３３、肌診断用サーバ２７の処理状況を画面表示する表示手段３４、及び肌表面データベース２８、受信手段３０、送信手段３１、写真画像抽出部３２、診断結果抽出部３３、表示手段３４間のデータと信号の流れを制御し、処理を実行させる制御部３５を備える。
【００３６】
受信手段３０は携帯電話網２８を介してデジタルカメラ付き携帯電話装置２０から送信された写真画像を受信する。次に、写真画像抽出部３２は肌表面データベース２８の写真画像の中から受信した写真画像と最も似ている写真画像（複数でも良い）を抽出する。次に、診断結果抽出部３３は抽出された写真画像についての診断結果データを肌表面データベース２８から抽出する。次に、送信手段は抽出された診断結果データを携帯電話網２９を介してデジタルカメラ付き携帯電話装置２０に無線で送信する。制御部３５は、必要に応じて表示手段３４に処理状況を画面表示させ、各手段・各部間のデータと信号の流れを制御し、上記の処理を実行させる。これにより、写真画像の送信者は診断結果データをデジタルカメラ付き携帯電話装置２０の表示画面で見る事ができる。
【００３７】
図５に肌の写真画像（撮影画像を約３倍に拡大）の例を示す。肌表面の凹凸が鮮明なコントラストで写し出されている。肌表面データベース２８には乾燥肌の他に、脂肪性の肌（吹出物が出来ているものを含む）、アレルギー性の肌、紫外線焼けした肌、正常な肌等の写真画像とこれら各写真画像に対応する医療専門家の診断結果とアドバイスが蓄積されている。肌診断用サーバ２７による写真画像の照合は、例えば、異常箇所等特徴のある部分を抽出し、５度おきに１８０度の回転イメージを作成し、同じ又は類似のパタンが存在しないか、また、０．５〜２．０倍の拡大縮小イメージを作成し、同じ又は類似のパタンが存在しないかをサーチする。その際、パタンのずれ、カラーのずれ等に応じて一致度が算定される。なお、照明用ライトからの照射光が被写体となす角度が同じ写真画像で照合することが好ましい。その結果、一致度の大きい方から複数（例えば３件）の写真画像が選ばれ、その診断結果が肌診断用サーバ２７からデジタルカメラ付き携帯電話装置２０に無線送信される。選ばれた写真画像についての診断結果とアドバイスが抽出され、返信される。肌の写真画像を送信した送信者は、診断結果とアドバイスをデジタルカメラ付き携帯電話装置２０の表示画面で見ることができる。
【００３８】
以上により、肌診断用サーバ２７は、接写用ルーペをデジタルカメラに取付けて接写した肌表面の写真画像を受信し、分析し、有効な診断結果を返信できる。また、本発明による接写用ルーペを使用するので、常に安定した写真画像を提供できる。また、撮影後直ぐに写真画像をサーバに送信でき、診断結果も早く得られる。
【００３９】
以上、本発明の実施の形態について説明したが、本発明の趣旨を逸脱しない範囲で実施の形態に種々の変更を加え得ることは明白である。
【００４０】
例えば、微調整機構は本実施の形態に記載のものに限られない。歯形が形成されたリング状の微調整ダイヤルを使用する代わりに、竜頭等他の形状の微調整ダイヤルを使用しても良い。両面接着材を搭載する固定部の位置も、接着が安定する広さがあれば、カメラ側表面の他の位置でも良い。両面接着材の寸法・形状も種々変更可能である。また、接写レンズの位置もカメラ側表面に近い位置に限られず、レンズの焦点距離、筐体の厚さ等との組み合わせにより種々変更できる。また、照明用ライトや電池収納室の位置も変更可能である。照明用ライトの寸法や出力にも幅がある。また、デジタルカメラは携帯電話装置に装着されたものに限られない。
【００４１】
また、本実施の形態では、肌表面データベースに医療専門家の診断結果を蓄積する例を示したが、美容や健康の維持・促進用として、美容専門家や健康管理専門家の診断結果とアドバイスを蓄積しても良い。また、接写用ルーペの寸法はデジタルカメラ付き携帯電話装置の寸法より小さい方が手軽に操作、持ち運びできるので望ましいが、大きくしても良い。
【００４２】
【発明の効果】
以上説明したように、本願発明によれば、デジタルカメラに特別な加工をすることなく取り付けられ、かつ被写体側表面を被写体に接触させることにより、安定した拡大写真画像をデジタルカメラで撮像できる接写用ルーペ、そのような接写ルーペを備えた接写用デジタルカメラ、携帯電話装置及び肌診断用サーバを提供できる。
【図面の簡単な説明】
【図１】本実施の形態における接写用ルーペの平面構造図である。
【図２】本実施の形態における接写用ルーペの断面構造図である。
【図３】本実施の形態における接写用ルーペをデジタルカメラ付き携帯電話装置に取付けて使用する状態での断面模式図である。
【図４】本実施の形態においてデジタルカメラ付き携帯電話装置から写真画像を肌診断用サーバに送信し、肌診断用サーバから診断結果を得るためのシステム構成を示す図である。
【図５】本実施の形態における写真画像の例を示す図である。
【符号の説明】
１    接写用ルーペ
２    接写レンズ
３    レンズホルダ
４    微調整機構
５    被写体
６    照明用ライト
７    電池
８    筐体
９    被写体側表面
１０  カメラ側表面
１１  光軸
１２、１３  窓
１４、１５  空間
１６、１７  内壁
１８  接触部
１９  固定部
２０  デジタルカメラ付き携帯電話装置
２１  両面接着材
２２  撮像レンズ
２３  撮像面
２４  微調整ダイヤル
２５  電池収納室
２６  扉
２７  肌診断用サーバ
２８  肌表面データベース
２９  携帯電話網
３０  受信手段
３１  送信手段
３２  写真画像抽出部
３３  診断結果抽出部
３４  表示手段
３５  制御部
【図１】
2004286776.tif 000003
【図２】
2004286776.tif 000004
【図３】
2004286776.tif 000005
【図４】
2004286776.tif 000006
【図５】
2004286776.tif 000007